(57)【特許請求の範囲】
【請求項１】
流水面（Ａ１）と対向して開設される取水口（１）を覆う防塵網（２）に付着した塵芥（Ｂ）を除去することにより、該防塵網（２）の目詰まりを防止して取水量を確保する取水口清掃装置において、
前記流水面（Ａ１）と対向する防塵網（２）の表面側に掻き取り手段（３）を相互に接触させながら回転自在に設け、この掻き取り手段（３）を防塵網（２）に沿って流水（Ａ２）の流れ方向へ移動自在に支持し、その駆動源の作動による該掻き取り手段（３）の回転及び移動で、防塵網（２）の周辺水を攪拌して防塵網（２）の表面沿いに渦を発生させ、これら掻き取り手段（３）の接触と渦により該防塵網（２）に付着した塵芥（Ｂ）を剥がすと共に防塵網（２）から引き離すことを特徴とする取水口清掃装置。
【請求項２】
前記流水（Ａ２）の流れ方向下流側に掻き取り手段（３）を待機させ、そこから上流側へ向けて往復動させると同時に、その上流側への移動時に、掻き取り手段（３）の回転先端を防塵網（２）との最も接近した位置から上流側へ向けて徐々に離れるように正回転させ、また下流側への移動時には、掻き取り手段（３）の回転先端を防塵網（２）との最も接近した位置から下流側へ向けて徐々に離れるように逆回転させる請求項１記載の取水口清掃装置。
【請求項３】
流水面（Ａ１）と対向して開設される取水口（１′）を覆う防塵網（２′）に付着した塵芥（Ｂ）を除去することにより、該防塵網（２′）の目詰まりを防止して取水量を確保する取水口清掃装置において、
前記流水面（Ａ１）と対向する防塵網（２′）を有底筒状に形成し、その開口部（２ｃ′）及び底面部（２ｄ′）の一部又は全部が常時水中に沈むように回転自在に支持して、流水（Ａ２）の一部（Ａ21）を防塵網（２′）の外周面（２ｅ′）から内部に導き入れて開口部（２ｃ′）より取り入れると共に、残りの流水（Ａ22）を防塵網（２′）の外周面（２ｅ′）に沿って流下させ、該防塵網（２′）の外周面（２ｅ′）と対向して掻き取り手段（３′）を相互に接触させながら回転自在に設け、この掻き取り手段（３′）の接触により防塵網（２′）の外周面（２ｅ′）に付着した塵芥（Ｂ）を剥がし、上記防塵網（２′）の外周面（２ｅ′）に沿って流下する残りの流下水（Ａ22）で引き離すことを特徴とする取水口清掃装置。
【発明の詳細な説明】
【０００１】
【発明の属する技術分野】
本発明は、例えば河川から養殖用水を取り入れるための取水口に配備された取水口清掃装置、特に流水に乗り流れ着いて防塵網に付着した例えば落ち葉などの葉やバイカモなどの細長い草（水草）や小枝などの木片などからなる塵芥を除去するためのものに関する。
詳しくは、流水面と対向して開設される取水口を覆う防塵網に付着した塵芥を除去することにより、該防塵網の目詰まりを防止して取水量を確保する取水口清掃装置に関する。
【０００２】
【従来の技術】
従来、例えば河川から養殖池へ水を取り入れるための取水口には、それを覆うように防塵網が設けられ、河川の上流側から流れ着いた例えば落ち葉や草や小枝などの塵芥が、養殖池へ直接流れ込まないようにしている。
ところで、落葉の多い季節の河川の水や雪解け水には、多量の落ち葉が混じっており、特に雪解け水には沈みがちな落ち葉が多量に混入しいるので、これらが取水口の防塵網に付着し、取水量が確保できなくなってしまう。
また梅雨や台風の季節における河川の流れは、落ち葉以外に草や小枝などをも巻き込みながら激しく流れるので、その傾向が一段と強くなる。
そこで、例えば河川から養殖池へ水を取り入れるような小規模の取水口では、火力発電所や原子力発電所などのプラントへ冷却水を供給するような大規模の取水口と違って、高価な大型の取水口清掃装置が配備できないため、主に人手により簡単な除去用具を使って防塵網から落ち葉などの塵芥を掻き集め、それを川岸へ引き上げて廃棄処理しているのが現状である。
【０００３】
【発明が解決しようとする課題】
しかし乍ら、このような従来の取水口清掃方法では、防塵網から塵芥を掻き集めて引き上げる作業が手間である共に、その引き上げた落ち葉などの塵芥は産業廃棄物となるため、法令により事業者が自ら処理しなければならず、廃棄コストが掛かるだけでなく、特に落葉の多い季節などは作業員が２４時間に亘って監視しながら引き上げ作業を頻繁に繰り返さなければならず、非常に面倒であるという問題がある。
【０００４】
本発明のうち請求項１、３記載の発明は、流水に乗り流れ着いて防塵網に付着した塵芥を引き上げることなく自然排除することを目的としたものである。
請求項２記載の発明は、請求項１に記載の発明の目的に加えて、特に落ち葉などの剥がし難い塵芥を効率良く除去することを目的としたものである。
【０００５】
【課題を解決するための手段】
前述した目的を達成するために、本発明のうち請求項１記載の発明は、流水面と対向する防塵網の表面側に掻き取り手段を相互に接触させながら回転自在に設け、この掻き取り手段を防塵網に沿って流水の流れ方向へ移動自在に支持し、その駆動源の作動による該掻き取り手段の回転及び移動で、防塵網の周辺水を攪拌して防塵網の表面沿いに渦を発生させ、これら掻き取り手段の接触と渦により該防塵網に付着した塵芥を剥がすと共に防塵網から引き離すことを特徴とするものである。
請求項２記載の発明は、請求項１記載の発明の構成に、前記流水の流れ方向下流側に掻き取り手段を待機させ、そこから上流側へ向けて往復動させると同時に、その上流側への移動時に、掻き取り手段の回転先端を防塵網との最も接近した位置から上流側へ向けて徐々に離れるように正回転させ、また下流側への移動時には、掻き取り手段の回転先端を防塵網との最も接近した位置から下流側へ向けて徐々に離れるように逆回転させる構成を加えたことを特徴とする。
請求項３記載の発明は、流水面と対向する防塵網を有底筒状に形成し、その開口部及び底面部の一部又は全部が常時水中に沈むように回転自在に支持して、流水の一部を防塵網の外周面から内部に導き入れて開口部より取り入れると共に、流水の残りを防塵網の外周面に沿って流下させ、該防塵網の外周面と対向して掻き取り手段を相互に接触させながら回転自在に設け、この掻き取り手段の接触により防塵網の外周面に付着した塵芥を剥がし、上記防塵網の外周面に沿って流下する残りの流下水で引き離すことを特徴とすることを特徴とするものである。
【０００６】
【作用】
請求項１の発明は、取水口を覆う防塵網に沿って掻き取り手段を回転しながら流水の流れ方向へ移動させ、それに伴い防塵網の周辺水を攪拌して防塵網の表面沿いに渦を発生させることにより、防塵網に付着した塵芥が掻き取られると共に、この塵芥が上記渦で防塵網から強制的に引き離され、そのまま流水に乗って下流側へ流されるものである。
請求項２の発明は、請求項１記載の構成に対して、前記流水の流れ方向下流側に掻き取り手段を待機させ、そこから上流側へ向けて往復動させると同時に、その上流側への移動時に、掻き取り手段の回転先端を防塵網との最も接近した位置から上流側へ向けて徐々に離れるように正回転させ、また下流側への移動時には、掻き取り手段の回転先端を防塵網との最も接近した位置から下流側へ向けて徐々に離れるように逆回転させる構成を追加したので、流水の流れ方向下流側の待機位置から掻き取り手段が上流側へ向けて移動するのと連動して、掻き取り手段の回転先端を防塵網との最接近位置から上流側へ離れるように正回転させることにより、防塵網に付着した塵芥が起こされて浮き上がり、これに連続して反対の下流側へ移動する時には、掻き取り手段の回転先端を防塵網との最接近位置から下流側へ離れるように逆回転させることにより、浮いた塵芥が防塵網から確実に剥がされる。
また請求項３の発明は、流水の一部を防塵網の外周面から内部に導き入れたことに伴い、防塵網の外周面に沿って塵芥が付着しても、掻き取り手段を相互に接触させながら回転することにより、防塵網の外周面上の塵芥が位置ズレして掻き取られると共に、この塵芥が、該防塵網の外周面に沿って流下する残りの流下水で強制的に引き離され、そのまま該流下水に乗って下流側へ流されるものである。
【０００７】
【発明の実施の形態】
以下、本発明の実施例を図面に基づいて説明する。
この実施例は図１〜図３に示す如く、河川Ａの流水面Ａ１と対向するように川岸に沿って取水口１を開設することにより、この取水口１から河川Ａの流水Ａ２の一部が導水路Ａ３を介して養殖池（図示せず）へ取り入れられると共に、この取水口１を覆うように防塵網２が設けられ、上記流水Ａ２に乗り流れ着いて該防塵網２に付着した例えば落ち葉や草や小枝などの塵芥Ｂが除去される場合を示すものである。
【０００８】
上記防塵網２は、その編み目より大きな塵芥Ｂの通過は阻止されるが流水Ａ２は通す従来周知構造のネットやスクリーン又はパンチングメタルなどから構成される。
本実施例の場合には図１に示す如く、例えばステンレスなどの金属で額縁状に形成された枠材２ａの内側空間をネット２ｂで被蓋し、それらの上端位置を河川Ａの満水時水位よりも高く配置して、水面の上方に常時露出するようにしている。
【０００９】
更に、上記流水面Ａ１と対向する防塵網２の表面側には、その縦方向へ棒状の掻き取り手段３が略平行となるように架設され、この掻き取り手段３を防塵網２の表面と相互に接触させながら回転自在に支持する。
【００１０】
この掻き取り手段３は、該防塵網２の表面に付着した例えば落ち葉などの塵芥Ｂと引っ掛けると共に水の攪拌より渦を発生させる目的から、本実施例では図２に示す如く回転軸３ａの外面にブラシ３ｂを反対側の二方向へ突出するように植毛しており、この回転軸３ａを例えばモーターなどの回転用電動機３ｃと連係して、この回転用電動機３ｃの作動によりブラシ３ｂを所望の回転方向へ回転させる。
【００１１】
更に上記ブラシ３ｂの形状は、除去する塵芥Ｂの種類に合わせて調整する必要があり、例えば回転軸３ａの外面にブラシ３ｂを四方向や放射方向へ突出するように植毛したり、回転軸３ａの軸方向へブラシ３ｂを螺旋状に突出するように植毛するか、又は特にバイカモなどの細長い草（水草）を確実に除去するために例えばゴムラバーなどの摩擦抵抗が大きな材料を、ブラシ３ｂに代えて回転軸３ａの外面に固着したり、ブラシ３ｂに組み合わせて固着することが好ましい。
【００１２】
また、上記掻き取り手段３の回転軸３ａ及びブラシ３ｂは、前記防塵網２の表面に沿って流水Ａ２の流れ方向へ往復動自在に支持され、その駆動源である例えばモーターなどの移動用電動機３ｄと連係して、この移動用電動機３ｄの作動によりブラシ３ｂを移動させる。
【００１３】
本実施例の場合には、前記防塵網２の塵芥Ｂが付着する部分を挟んで流水Ａ２の流れ方向へ横設された上下一対の平行なレール３ｅ，３ｅと、これらレール３ｅ，３ｅに亘って移動自在に横架された台車３ｆと、該レール３ｅ，３ｅの略全長に亘って配設された例えばチェーンなどの伝動手段３ｇとを備え、この台車３ｆに対して上記回転軸３ａ及びブラシ３ｂを回転自在に支持すると共に、該台車３ｆと移動用電動機３ｄとが伝動手段３ｇを介して連係されることにより、台車３ｆをレール３ｅ，３ｅに沿って往復動させている。
【００１４】
そして、これら回転用電動機３ｃ及び移動用電動機３ｄは、一つのコントローラー４で間欠的に作動制御され、一回の作動により、レール３ｅ，３ｅの流水Ａ２の流れ方向下流端近くで待機する台車３ｆを該レール３ｅ，３ｅに沿って上流端近くまで一往復させると同時に、その上流移動時と下流移動時とは回転軸３ａ及びブラシ３ｂの回転方向を逆方向へ切り換える。
【００１５】
更に詳しく説明すれば、その初期状態では、台車３ｆをレール３ｅ，３ｅの下流側設定位置に待機させ、コントローラー４から作動開始信号が出力されると、図１の実線に示す如く、台車３ｆを上流側へ向けて移動開始させると同時に、前記掻き取り手段３の回転先端であるブラシ３ｂを防塵網２と最も接近した位置から上流側へ向けて徐々に離れるように正回転させ、台車３ｆがレール３ｅ，３ｅの上流側設定位置まで到達したことを例えばリミットスイッチなどで検出すると、図１の二点鎖線に示す如く、台車３ｆを逆の下流側へ向けて移動させると同時に、ブラシ３ｂを防塵網２と最も接近した位置から下流側へ向けて徐々に離れるように逆回転させている。
【００１６】
また、前記回転用電動機３ｃは、台車３ｆの最も川岸側の濡れ難い場所に載置固定されると共に、前記移動用電動機３ｄとコントローラー４は、川岸などの濡れ難い場所に載置固定され、これら台車３ｆ上の回転用電動機３ｃと駆動電源（図示せず）及びコントローラー４とを連絡する電線５は、錘５ａで牽引することにより台車３ｆの往復動に連動して引き出し自在に支持する。
【００１７】
図示例では、電線５を支持するために立設されたポール６に、コントローラー４を内蔵した制御ボックス４ａが配備されると共に、このポール６に上部に対して支持アーム６ａを流水Ａ２の流れ方向へ揺動自在に連設し、この支持アーム６ａの先端から引き出し自在に吊持された例えばワイヤなどの線材６ｂの一端を電線５の中間部に連結し、該線材６ｂの他端には錘５ａを連結して常時、電線５の中間部が吊り上げられている。
【００１８】
また、前記コントローラー４は、河川Ａの上流側から流れに乗って取水口１へ流れ着く塵芥Ｂの量や河川Ａの流速に応じて、回転用電動機３ｃ及び移動用電動機３ｄを予め設定した作動間隔及び作動速度で動作制御し、季節などの変化要因に応じて調整することが好ましく、特に落葉の多い季節には最短間隔で作動させるか、又は必要に応じて掻き取り手段３の回転軸３ａ及びブラシ３ｂを複数回連続して往復動させるように調整する。
【００１９】
次に、斯かる取水口清掃装置の作動について説明する。
先ず、コントローラー４の設定に基づいて一回の作動が開始されると、取水口１を覆う防塵網２に沿って掻き取り手段３の回転軸３ａ及びブラシ３ｂが回転しながら流水Ａ２の流れ方向へ移動する。
それに伴い、防塵網２の周辺水を攪拌して防塵網２の表面沿いに渦が順次発生する。
【００２０】
それにより、これら掻き取り手段３の接触と渦で防塵網２に付着した塵芥Ｂが位置ズレして掻き取られると共に、この塵芥Ｂが上記渦で防塵網２から強制的に引き離され、そのまま流水Ａ２に乗って河川Ａの下流側へ流される。
その結果、流水Ａ２に乗り流れ着いて防塵網２に付着した塵芥Ｂを引き上げることなく自然排除できる。
【００２１】
更に本実施例の場合には、流水Ａ２の流れ方向下流側の待機位置から掻き取り手段３のブラシ３ｂが上流側へ向けて移動するのと連動して、掻き取り手段３のブラシ３ｂが防塵網２との最接近位置から上流側へ離れるように正回転する（図１の実線）。
それにより、防塵網２に付着した塵芥Ｂが起こされて浮き上がる。
【００２２】
これに連続して反対の下流側へ移動する時には、掻き取り手段３のブラシ３ｂが防塵網２との最接近位置から下流側へ離れるように逆回転する（図１の二点鎖線）。
それにより、浮いた塵芥Ｂが防塵網２から強制的に引き離されて確実に剥がされる。
その結果、特に落ち葉などの剥がし難い塵芥Ｂを効率良く除去できるという利点がある。
【００２３】
また、掻き取り手段３の回転用電動機３ｃが台車３ｆと一緒に往復動して、それと駆動電源と連絡する電線５が引き出されても、錘５ａにより牽引されて垂れ下がることなく出入りする。
その結果、電線５の垂れ下がりが原因の事故を簡素な構造で防止できるという利点がある。
【００２４】
一方、図４〜図５に示すものと、図６〜図７に示すものは、夫々が本発明の他の実施例である。
図４〜図５に示すものは、前記掻き取り手段３の回転用電動機３ｃに代えて、台車３ｆの移動用電動機３ｄと台車３ｆに軸支された回転軸３ａ及びブラシ３ｂとを伝動部材３ｈ，３ｉで連係して動力伝達させることにより、回転用電動機３ｃ無しでブラシ３ｂを回転させるようにした構成が、前記図１〜図３に示した実施例とは異なり、それ以外の構成は図１〜図３に示した実施例と同じものである。
【００２５】
図示例の場合には、上記伝動部材３ｈ，３ｉが、回転軸３ａの両端部に固着したピニオン３ｈ，３ｈと、これに対向してレール３ｅ，３ｅに固着したラック３ｉ，３ｉであり、これら回転軸３ａ両端のピニオン３ｈ，３ｈとレール３ｅ，３ｅ上のラック３ｉ，３ｉを互いに歯合させることにより、台車３ｆがレール３ｅ，３ｅ上を往復動するに伴って、回転軸３ａ及びブラシ３ｂを正逆両方向へ回転させるている。
【００２６】
従って、図４〜図５に示すものは、台車３ｆの駆動源である移動用電動機３ｄの作動によるチェーンなどの伝動手段３ｇの駆動のみで、台車３ｆの移動方向に連動して回転軸３ａ及びブラシ３ｂを正逆両方向へ回転できる。
その結果、前記図１〜図３に示した実施例のように、台車３ｆの往復動に連動して電線５を引き出し自在に支持するためのポール６、支持アーム６ａ、線材６ｂや牽引用の錘５が不要となるので、装置全体の構造を簡素化できて製造コストの低減化が図れるという利点がある。
【００２７】
更に図示例の場合には、台車３ｆに支持された回転軸３ａの両端がピニオン３ｈ，３ｈ及びラック３ｉ，３ｉを介して両レール３ｅ，３ｅと係合するので、台車３ｆの往復動に伴って斜めに傾くことがなく安定して走行できる。
【００２８】
図６〜図７に示すものは、河川Ａの流水面Ａ１と対向して川岸に取水口１′を凹状に開設するか又は河川Ａから導いた水路（図示せず）の途中に取水口１′を開設し、この取水口１′を覆うように有底円筒状のドラム型防塵網２′が設けられることにより、河川Ａから流水Ａ２の一部Ａ21がドラム型防塵網２′を通って養殖池（図示せず）へ取り入れられると共に、残りの流水Ａ22をドラム型防塵網２′の外周面２ｅ′に沿って流下させ、この残りの流下水Ａ22を直接的に河川Ａへ戻すか又は水路Ａ４を介して河川Ａへ戻す場合を示すものである。
【００２９】
上記ドラム型防塵網２′は、その開口部２ｃ′及び底面部２ｄ′の少なくとも下半部以上又はほとんど全部が常時水中に沈むように配置され、これら開口部２ｃ′及び底面部２ｄ′の中心に配置された略水平な回転軸２ｊ′でフレーム７′に対して回転自在に支持することにより、流水Ａ２の一部Ａ21が防塵網２′の外周面２ｅ′を通って内部に導き入れられる。
【００３０】
河川Ａの水位は、天候や季節などによって変更するが、ドラム型防塵網２′の下端位置から約３／４近くか又はそれ以上の部分が常時水没する高さに設置することが好ましく、該ドラム型防塵網２′の底面部２ｄ′には、網又は円板を固着して閉鎖され、上記開口部２ｃ′には、取水口１′を貫通して回転不能に固定された導水管路Ａ５として、図示例の場合には例えば屈曲可能な蛇腹管を水密状に接続している。
【００３１】
そして、上記ドラム型防塵網２′の外周面２ｅ′には、それと対向して棒状の掻き取り手段３′が略平行となるように架設され、この掻き取り手段３′をドラム型防塵網２′の外周面２ｅ′と相互に接触させながら回転自在に支持する。
【００３２】
この掻き取り手段３′は、ドラム型防塵網２′の外周面２ｅ′に付着した例えば落ち葉や草や小枝などの塵芥Ｂと引っ掛ける目的から、図示例では回転軸３ａ′の外面にブラシ３ｂ′を放射方向へ突出するように植毛するか又は上述した如く塵芥Ｂの種類に合わせて他の形状に植毛し、この回転軸３ａ′を例えばモーターなどの回転用電動機３ｃ′と連係して、この回転用電動機３ｃ′の作動によりブラシ３ｂ′を回転させる。
【００３３】
更に、これら回転軸３ａ′及びブラシ３ｂ′の設置位置は、ドラム型防塵網２′の外周面２ｅ′に付着した塵芥Ｂを除去し易くするために、図示せる如くドラム型防塵網２′の外周面２ｅ′より上方の常時水面上に露出する高さに配置して回転抵抗を少なくすることが好ましいが、これに限定されず、その一部又は全部が水没するように配置しても良い。
【００３４】
また、上記ブラシ３ｂ′の回転方向は、前記ドラム型防塵網２′の外周面２ｅ′の回転方向と反対にすることが好ましく、図示例ではブラシ３ｂ′の回転用電動機３ｃ′と例えばチェーンなどの伝動手段３ｋ′により連係させている。
【００３５】
従って、図６〜図７に示すものは、流水Ａ２の一部Ａ21をドラム型防塵網２′の外周面２ｅ′から内部に導き入れたことに伴い、ドラム型防塵網２′の外周面２ｅ′に沿って塵芥Ｂが付着しても、掻き取り手段３′をドラム型防塵網２′の外周面２ｅ′に接触させながら回転すれば、ドラム型防塵網２′の外周面２ｅ′上の塵芥Ｂが位置ズレして掻き取られると共に、この塵芥Ｂが、該ドラム型防塵網２′の外周面２ｅ′に沿って流下する残りの流下水Ａ22で強制的に引き離され、そのまま該流下水Ａ22に乗って下流側へ流される。
【００３６】
その結果、図６〜図７に示すものも前記図１〜３に示した実施例と同様に、流水Ａ２に乗り流れ着いてドラム型防塵網２′の外周面２ｅ′に付着した塵芥Ｂを引き上げることなく自然排除できる。
更に、図６〜図７に示すドラム型防塵網２′は、フレーム７′と一緒に全体を取水口１′に対して容易に着脱できるので、塵芥Ｂの除去が必要な時期のみ簡単な作業で設置可能であり、塵芥Ｂの除去が不必要な時期には簡単な作業で撤去できて使用勝手が良いという利点もある。
【００３７】
尚、前示実施例では、河川Ａの流水面Ａ１と対向して取水口１を開設し、この取水口１の防塵網２に付着した例えば落ち葉や草や小枝などの塵芥Ｂが除去される場合を示したが、これに限定されず、図示せぬが河川Ａ以外の湖や海などの流水面と対向して開設される取水口の防塵網に配備しても良く、この場合には該防塵網に付着した塵芥として落ち葉又は枝を含む木片以外の生物などを除去すこともできる。
【００３８】
更に、前記掻き取り手段３の構造は上述したものに限定されず、同様な作用が期待できれば他の構造であっても良い。
【００３９】
【発明の効果】
以上説明したように、本発明のうち請求項１記載の発明は、取水口を覆う防塵網に沿って掻き取り手段を回転しながら流水の流れ方向へ移動させ、それに伴い防塵網の周辺水を攪拌して防塵網の表面沿いに渦を発生させることにより、これら掻き取り手段３の接触と渦で防塵網に付着した塵芥が位置ズレして掻き取られると共に、この塵芥Ｂが上記渦で防塵網から強制的に引き離され、そのまま流水に乗って下流側へ流されるので、流水に乗り流れ着いて防塵網に付着した塵芥を引き上げることなく自然排除できる。
従って、主に人手により防塵網から落ち葉などの塵芥を掻き集め川岸へ引き上げて廃棄処理する従来のものに比べ、産業廃棄物が一切発生しないから廃棄コストが全く掛からないと共に、特に落葉の多い季節などは該取水口清掃装置の作動間隔を短くするだけで対応できて人件費も掛からず、例えば河川から養殖池へ水を取り入れるような小規模の取水口に最適である。
【００４０】
請求項２の発明は、請求項１の発明の効果に加えて、流水の流れ方向下流側の待機位置から掻き取り手段が上流側へ向けて移動するのと連動して、掻き取り手段の回転先端を防塵網との最接近位置から上流側へ離れるように正回転させることにより、防塵網に付着した塵芥が起こされて浮き上がり、これに連続して反対の下流側へ移動する時には、掻き取り手段の回転先端を防塵網との最接近位置から下流側へ離れるように逆回転させることにより、浮いた塵芥が防塵網から確実に剥がされるので、特に落ち葉などの剥がし難い塵芥を効率良く除去できる。
【００４１】
請求項３の発明は、請求項１または２の発明の効果に加えて、流水の一部を防塵網の外周面′から内部に導き入れたことに伴い、防塵網の外周面に沿って塵芥が付着しても、掻き取り手段を相互に接触させながら回転することにより、防塵網の外周面上の塵芥が位置ズレして掻き取られると共に、この塵芥が、該防塵網の外周面に沿って流下する残りの流下水で強制的に引き離され、そのまま該流下水に乗って下流側へ流されるので、流水に乗り流れ着いて防塵網に付着した塵芥を引き上げることなく自然排除できる。
従って、主に人手により防塵網から落ち葉などの塵芥を掻き集め川岸へ引き上げて廃棄処理する従来のものに比べ、産業廃棄物が一切発生しないから廃棄コストが全く掛からないと共に、特に落葉の多い季節などは該取水口清掃装置の作動間隔を短くするだけで対応できて人件費も掛からず、例えば河川から養殖池へ水を取り入れるような小規模の取水口に最適である。
更に、防塵網の全体を取水口に対して容易に着脱できるので、塵芥の除去が必要な時期のみ簡単な作業で設置可能であり、塵芥の除去が不必要な時期には簡単な作業で撤去できて使用勝手が良い。
【図面の簡単な説明】
【図１】  本発明の一実施例を示す取水口清掃装置の平面図である。
【図２】  同縦断側面図である。
【図３】  取水口清掃装置が配備された河川の全体を示す縮小平面図である。
【図４】  本発明の他の実施例を示す取水口清掃装置の平面図である。
【図５】  同縦断側面図である。
【図６】  本発明の他の実施例を示す取水口清掃装置の平面図である。
【図７】  同縦断側面図である。
【符号の説明】
Ａ１  流水面                      Ａ２  流水
Ａ21  流水の一部                  Ａ22  残りの流下水
Ｂ  塵芥                          Ｃ  調整堰
１，１′  取水口                  ２，２′  防塵網
２ｃ′  開口部                    ２ｄ′  底面部
２ｅ′  外周面                    ３，３′  掻き取り手段
【図１】
0003840427.tif 000002
【図２】
0003840427.tif 000003
【図３】
0003840427.tif 000004
【図４】
0003840427.tif 000005
【図５】
0003840427.tif 000006
【図６】
0003840427.tif 000007
【図７】
0003840427.tif 000008